(57)【要約】【課題】従来の洗面ボウルは、オーバーフロー孔が露出しており、洗面ボウルの外観が損なわれてしまっているという課題を抱えている。洗面ボウルのオーバーフロー孔を利用者から見えにくくし、外観の良好な洗面ボウルを提供する。【解決手段】洗面ボウル１０は、底面に排水口２を有するボウル１と、２段構造からなるサイドステップ３を備えた洗面ボウルであって、サイドステップ３の下段に貫通したオーバーフロー孔４を形成している。【選択図】図１
2020036842.tif 000002
【特許請求の範囲】
【請求項１】
底面に排水口を有するボウルと、
２段構造からなるサイドステップを備えた洗面ボウルであって、
前記サイドステップの下段に貫通したオーバーフロー孔を形成したことを特徴とする
洗面ボウル。
【請求項２】
前記サイドステップの下段の底面に貫通したオーバーフロー孔を形成したことを特徴とする
請求項１に記載の洗面ボウル。
【請求項３】
前記サイドステップの上段と下段の間の側面に貫通したオーバーフロー孔を形成したことを特徴とする
請求項１に記載の洗面ボウル
【請求項４】
前記オーバーフロー孔の上部に石鹸置きを設けたことを特徴とする
請求項２に記載の洗面ボウル。
【発明の詳細な説明】
【技術分野】
【０００１】
本願発明は、洗面ボウルのオーバーフロー孔に関するものである。
【背景技術】
【０００２】
従来の洗面ボウルは、ボウル１の排水口１１に排水栓をして洗面ボウルに水をためて使用する際に、たまった水が一定の水位を超えるとボウル１の側壁１４の所定の高さに設けたオーバーフロー孔４から排水されるようになっている。オーバーフロー孔４に流れ込んだ水はボウル１の側壁１４内に形成された排水経路を通って排水口１１の下部に導かれ、排水口１１の裏面に接続された排水管を介して排水されている。
【０００３】
しかしながら、従来の洗面ボウルでは、ボウルの成形時に同時にオーバーフロー孔を成形することはできず、洗面ボウルを形成した後に、別工程でオーバーフロー孔を形成する必要があった。
【０００４】
これに対して、特許文献１には、図６、７に示すように、底面に排水口１１を有するボウル１の上縁部１２に載置面部２を形成し、該載置面部２に凹窪部３を形成し、該凹窪部３の底面部３１をボウル１の上縁部１２に形成した上縁切欠部１３を介して該ボウル１の内表面に開放し、該凹窪部３の底面部３１に下方に向かって貫通したオーバーフロー孔４を形成したことを特徴とするものである。好ましくは凹窪部３に化粧カバー５を該化粧カバー５の表面と上記載置面部２とが略面一となるよう着脱自在に嵌合すると共に、該凹窪部３の底面部３１と化粧カバー５との間に空間部６を形成したことを特徴とする洗面ボウルが開示されている。
【先行技術文献】
【特許文献】
【０００５】
【特許文献１】特開２００９−２２６１５０号公報
【発明の概要】
【発明が解決しようとする課題】
【０００６】
しかしながら、特許文献１に開示された洗面ボウル１に形成されたオーバーフロー孔４は、オーバーフロー孔４に化粧カバーを落として外観を良好としているが、洗面ボウル１を利用する利用者に化粧カバーおよびオーバーフロー孔４が露出しており、外観が好ましいものではない。
【０００７】
本発明は、上記課題を鑑みてなしたものであり、その目的は、洗面ボウルのオーバーフロー孔を利用者から見えにくくし、外観の良好な洗面ボウルを提供することにある。
【課題を解決するための手段】
【０００８】
上記課題を解決するために、本発明に係る洗面ボウルは、底面に排水口を有するボウルと、２段構造からなるサイドステップを備えた洗面ボウルであって、前記サイドステップの下段に貫通したオーバーフロー孔を形成している。
【発明の効果】
【０００９】
本発明に係る洗面ボウルは、サイドステップの下段側に貫通したオーバーフロー孔を形成しており、利用者からオーバーフロー孔が見えにくく、洗面ボウルの外観が一層向上したものとなっている。
【図面の簡単な説明】
【００１０】
【図１】本発明に係る洗面ボウルの一実施形態における斜視図である。
【図２】本発明に係る洗面ボウルの一実施形態における平面図である。
【図３】本発明に係る洗面ボウルに石鹸置きを置いた際の斜視図である。
【図４】本発明に係る洗面ボウルに石鹸置きを置いた際のサイドステップの拡大図である。
【図５】本発明に係る洗面ボウルのサイドステップの上段と下段の間の側面部にオーバーフロー孔を設けた際の平面図である。
【図６】従来例における洗面ボウルの平面図である。
【図７】図７の洗面ボウルにおいてのＸ−Ｘ断面における部分断面図である。
【発明を実施するための形態】
【００１１】
以下、本発明に係る洗面ボウルの実施の形態について図面を参照して説明する。図１は、本発明に係る洗面ボウルの一実施形態における斜視図であり、図２は本発明に係る洗面ボウルの一実施形態における平面図である
本発明に係る洗面ボウル１０は、ボウル１の底面の略中央の奥側に排水口２を有しており、ボウル１は一部にサイドステップ３を備えている。
【００１２】
サイドステップ３は、上段部３１と、下段部３２の２段構造となっており、下段部３２の底面の略中央にはオーバーフロー孔４が貫通して形成されている。
【００１３】
排水口２に排水栓を取り付け、ボウル１内に水を溜めていき、その水位がサイドステップ３の下段部３２の高さに達すると、サイドステップ３の下段部３２へと流れ込み、下段部３２の底面に設けたオーバーフロー孔４から下方に落下排水される。
【００１４】
オーバーフロー孔４の裏面下端部には、排水管などの排水用部材（図示しない）が連結され、サイドステップ３の下段部３２に流れ込んだ水はオーバーフロー孔４を通って、オーバーフロー孔４の裏面下端部に接続された排水用部材に流れて排水される。
【００１５】
図３は、サイドステップ３の下段部３２に、石鹸置き５を載置した際の斜視図であり、図４は、図３の石鹸置き５を載置した際のサイドステップ３の下段部３２の拡大図である。この際、石鹸使用後に石鹸置き５に石鹸を置くと、石鹸使用後の液垂れを直接オーバーフロー孔４に導くことができるようになる。
【００１６】
本発明の一実施形態によれば、サイドステップ３の下段部３２の底面にオーバーフロー孔４を設けることで、利用者が正面から利用する際に、オーバーフロー孔４が見えにくくなり、外観が良く見え、外観の良好な洗面ボウルとなっている。
【００１７】
また、サイドステップ３の下段部３２の底面に設けたオーバーフロー孔４の上に石鹸置き５を載置することにより、石鹸の液垂れを直接オーバーフロー孔４に導くことが可能となり、洗面ボウル１０が石鹸の液垂れにより汚れることを防ぐことができ、石鹸汚れの清掃の手間を省くことができ、使用性が向上する。
【００１８】
上記実施形態では、オーバーフロー孔４の位置をサイドステップ３の下段部３２の底面としたが、これに限られるものではなく、例えば、図５に示すようにサイドステップ３の上段部３１と下段部３２を繋ぐ手前側の側面部３３に設けてもよい。
【００１９】
また、オーバーフロー孔４は、サイドステップ３の下段部３２の右側面の側面部などに設けられてもよい。つまり、オーバーフロー孔４は、サイドステップ３のうち、洗面ボウルの利用者が正面から認識しにくい位置に設けられれば良い。
【符号の説明】
【００２０】
１  ボウル
２  排水口
３  サイドステップ
４  オーバーフロー孔
５  石鹸置き
３１  下段部
３２  上段部
３３  側面部
【図１】
2020036842.tif 000003
【図２】
2020036842.tif 000004
【図３】
2020036842.tif 000005
【図４】
2020036842.tif 000006
【図５】
2020036842.tif 000007
【図６】
2020036842.tif 000008
【図７】
2020036842.tif 000009